(57)【要約】【課題】部品点数を増加することなく、音鳴りを防ぐことができると共に、フロントキャビネットの剛性を高くすることができる表示装置を提供する。【解決手段】前側に表示面１１ａを有するパネルモジュール１と、パネルモジュール１の周縁部を前側から取囲むフロントキャビネット２とを備える表示装置において、表示面１１ａの周縁に沿って後方に突設された長辺リブ２３，２３及び短辺リブと、これらのリブよりも後方にその端部が位置するように突設された当接突起２５，２５…とをフロントキャビネット２に設けてある。この結果、当接突起２５，２５…によりパネルモジュール１の微振動を抑制すると共に、微振動の伝達面積を小さくして微振動の伝達を抑制することができるから、部品点数を増加することなく、音鳴りを防ぐことができる。また、長辺リブ２３，２３及び短辺リブによりフロントキャビネット２の剛性を高くすることができる。【選択図】図２
2010072366.tif 000002
【特許請求の範囲】
【請求項１】
前側に表示面を有するパネルモジュールと、該パネルモジュールの周縁部を前側から取囲むフロントキャビネットとを備える表示装置において、前記フロントキャビネットは、前記表示面の周縁に沿って後方に突設され、前記フロントキャビネットを補強する突条と、該突条よりも後方にその端部が位置するように突設され、前記パネルモジュールの周縁部に当接する当接突起とを備えていることを特徴とする表示装置。
【請求項２】
前記表示面は矩形状をなし、前記当接突起は、前記表示面の隅部に対向する位置に設けてあることを特徴とする請求項１に記載の表示装置。
【請求項３】
前記当接突起は、更に前記隅部間の中間に設けてあることを特徴とする請求項２に記載の表示装置。
【請求項４】
前記突条は、前記表示面の周縁に沿って全周に亘って設けてあることを特徴とする請求項１から３の何れか一つに記載の表示装置。
【請求項５】
前記当接突起は、前記突条と一体的に設けてあることを特徴とする請求項１から４の何れか一つに記載の表示装置。
【発明の詳細な説明】
【技術分野】
【０００１】
本発明は、画像を表示する表示面を有するパネルモジュールと、該パネルモジュールの周縁部を前側から取囲むフロントキャビネットとを備える液晶表示装置、プラズマ表示装置等の表示装置に関する。
【背景技術】
【０００２】
液晶表示装置、プラズマ表示装置等の表示装置は、画像を表示する表示面を前側に有するパネルモジュールと、該パネルモジュールの周縁部を前側から取囲むフロントキャビネットと、前記パネルモジュールの後側を覆うバックキャビネットとを備えている。フロントキャビネット及びバックキャビネットは、雄螺子により一体化されて、前記パネルモジュールを収容する筐体を構成している。
【０００３】
近年、表示装置は薄型化及び大型化しており、これに伴い、表示装置を構成するフロントキャビネットも、大型化すると共に、表示装置を薄型化すべく薄肉化している。このように大型かつ薄肉の形状を有するフロントキャビネットは剛性が低くなるため、成形時に生じる残留応力等により変形が生じて反りが生じやすいという問題があった。
【０００４】
また、表示装置には、例えば、フロントキャビネットの下側にスピーカが設けてあり、該スピーカが音を出力するとき、微振動が生じる。この微振動がフロントキャビネットを介してパネルモジュールに伝わり、パネルモジュールが微振動することにより、音鳴りが生じたり、パネルモジュールに不具合が生じたりする虞があった。このため、フロントキャビネットとパネルモジュールとが直接接触しないように、微振動を緩衝する緩衝部材をフロントキャビネット及びパネルモジュール間に介挿するように構成された表示装置が提案されている（例えば、特許文献１参照）。
【０００５】
特許文献１に開示された表示装置においては、フロントキャビネット１０１の後面に、該後面に垂直をなし、相互に対向するように立設された複数のリブ１０１ａ，１０１ｂを設け、該リブ１０１ａ，１０１ｂ間の隙間に緩衝部材１１１が挿嵌してある（図７参照）。液晶表示パネル１０２は、該液晶表示パネル１０２の周縁部にてスペーサ１０９，１１０を介して前ベゼル１０７及び後ベゼル１０８により保持してある。液晶表示パネル１０２の後側には、該液晶表示パネル１０２の後面に光を照射するバックライトユニット１０３が取付けてある。このような液晶表示パネル１０２、バックライトユニット１０３、前ベゼル１０７及び後ベゼル１０８を備えてなるパネルモジュールには、図７に示すように、パネルモジュールの周縁部を前側から取囲むように、前ベゼル１０７に緩衝部材１１１を当接させてフロントキャビネット１０１が取付けてある。
【０００６】
このようにフロントキャビネット１０１及び前ベゼル１０７間に介挿された緩衝部材１１１により、フロントキャビネット１０１とパネルモジュールとが直接接触せず、かつ緩衝部材１１１により微振動が緩衝されるから、パネルモジュールへの微振動の伝達を抑制することができる。また、フロントキャビネット１０１の後面に前記表示面の周縁に沿って略全周に亘ってリブ１０１ａ，１０１ｂを設けているから、フロントキャビネット１０１の剛性を高くすることができ、成形時の反りを抑制することができる。
【特許文献１】特開２００７−３１０２５８号公報
【発明の開示】
【発明が解決しようとする課題】
【０００７】
ところが、特許文献１の表示装置においては、パネルモジュールへの微振動の伝達を抑制するために、フロントキャビネット１０１とパネルモジュールとの間に緩衝部材１１１を介挿しているから、部品点数が増加するとともに、緩衝部材１１１をフロントキャビネット１０１の後面に設けたリブ１０１ａ，１０１ｂ間の隙間に挿嵌するという作業が必要となる。また、近年、表示装置の大幅な価格下落にもかかわらず、材料費が高騰していることからも、部品点数を削減したいという要望があった。
【０００８】
特許文献１の表示装置において、部品点数を削減すべく、緩衝部材１１１を用いずに構成することが考えられる。しかしながら、緩衝部材１１１を用いない場合、フロントキャビネット１０１の変形が抑制されているとはいえ反りが若干生じること、また各部材の製造誤差の重畳等により、液晶表示パネル１０２を含むパネルモジュールとフロントキャビネット１０１との間の隙間が一様にならないという問題があった。
【０００９】
本発明は斯かる事情に鑑みてなされたものであり、部品点数を増加することなく、パネルモジュールの微振動を抑制して音鳴りを防ぐことができると共に、フロントキャビネットの剛性を高くすることができる表示装置を提供することを目的とする。
【課題を解決するための手段】
【００１０】
本発明に係る表示装置は、前側に表示面を有するパネルモジュールと、該パネルモジュールの周縁部を前側から取囲むフロントキャビネットとを備える表示装置において、前記フロントキャビネットは、前記表示面の周縁に沿って後方に突設され、前記フロントキャビネットを補強する突条と、該突条よりも後方にその端部が位置するように突設され、前記パネルモジュールの周縁部に当接する当接突起とを備えていることを特徴とする。
【００１１】
この発明にあっては、表示面の周縁に沿って後方に突設された突条と、該突条よりも後方にその端部が位置するように突設された当接突起とをフロントキャビネットに設けて、当接突起をパネルモジュールの周縁部に当接させて該パネルモジュールの微振動を抑制するようにすると共に、フロントキャビネットの当接突起以外の部分とパネルモジュールとが直接接触しないようにして微振動の伝達を抑制するようにしてあるから、部品点数を増加することなく、音鳴りを防ぐことができる。また、突条がフロントキャビネットを補強しているからフロントキャビネットの剛性を高くすることができ、成形時の反りを抑制することができる。
【００１２】
本発明に係る表示装置は、前記表示面は矩形状をなし、前記当接突起は、前記表示面の隅部に対向する位置に設けてあることが好ましい。
【００１３】
この発明にあっては、表示面の隅部に対向する位置に設けた当接突起をパネルモジュールの周縁部の表示面の４隅に対応する位置に当接させているから、パネルモジュールをより確実に均一に保持することができ、パネルモジュールの微振動を抑制して更に音鳴りを防ぐことができる。
【００１４】
本発明に係る表示装置は、前記当接突起は、更に前記隅部間の中間に設けてあることが好ましい。
【００１５】
この発明にあっては、表示面の隅部間の中間に対向する位置に当接突起を更に設けて、該当接突起をパネルモジュールの周縁部に当接させているから、パネルモジュールをより確実に均一に保持することができ、パネルモジュールの微振動を抑制して更に音鳴りを防ぐことができる。
【００１６】
本発明に係る表示装置は、前記突条は、前記表示面の周縁に沿って全周に亘って設けてあることが好ましい。
【００１７】
この発明にあっては、表示面の周縁に沿って全周に亘って突条をフロントキャビネットに設けているから、フロントキャビネットの剛性を更に高くすることができ、成形時の反りを抑制することができる。また、フロントキャビネットの剛性を高くすることにより、フロントキャビネットとパネルモジュール又はバックキャビネットとを締結する締結部品の数を削減することが可能となる。
【００１８】
また、本発明に係る表示装置は、前記当接突起は、前記突条と一体的に設けてあることが好ましい。
【００１９】
この発明にあっては、当接突起を突条と一体的に設けているから、当接突起の剛性を高くすることができると共に、フロントキャビネットの剛性を更に高くすることができ、成形時の反りを抑制することができる。また、フロントキャビネットの剛性を高くすることにより、フロントキャビネットとパネルモジュール又はバックキャビネットとを締結する締結部品の数を削減することが可能となる。
【発明の効果】
【００２０】
本発明によれば、部品点数を増加することなく、パネルモジュールの微振動を抑制して音鳴りを防ぐことができると共に、フロントキャビネットの剛性を高くすることができる。
【発明を実施するための最良の形態】
【００２１】
以下、本発明をその実施の形態を示す図面に基づいて、液晶表示装置、所謂液晶テレビを例にして詳述する。図１は、本発明に係る表示装置の構成を示す模式的分解斜視図である。図２は、本発明に係る表示装置の一部を拡大した断面図である。
【００２２】
図中１は、扁平な直方体形状を有するパネルモジュールである。パネルモジュール１は、図２に示すように、画像を表示する表示面１１ａをその前面に有する液晶パネル１１と、該液晶パネル１１の周縁部を前後に保持する前保持体１２及び後保持体１３と、該後保持体１３を介して前記液晶パネル１１の後側に設けられ、該液晶パネル１１の後面に光を照射するバックライトユニット１４とを備えている。
【００２３】
前保持体１２は、矩形枠部１２ａと、該矩形枠部１２ａの外縁から略直交して後方に延びる周壁１２ｂとを備えている。前保持体１２は、矩形枠部１２ａの内縁部が液晶パネル１１の表示面１１ａの周縁部に対向するように設けてある。この前保持体１２と液晶パネル１１との対向部間には、矩形枠状を有するスペーサ１５が介挿してある。
【００２４】
後保持体１３は、矩形枠部１３ａと、該矩形枠部１３ａの外縁から略直交して後方に延びる周壁１３ｂとを備えている。後保持体１３は、矩形枠部１３ａの内縁部が液晶パネル１１の後面の周縁部に対向するように前保持体１２に内嵌してある。この後保持体１３と液晶パネル１１との対向部間には、矩形枠状を有するスペーサ１６が介挿してある。この構成により、液晶パネル１１は、スペーサ１５，１６を介して前保持体１２及び後保持体１３により挟持されることになる。
【００２５】
バックライトユニット１４は、一面開口の筐体形状を有する金属製のバックライトシャーシと、該バックライトシャーシの内部に収容された複数の光源等を備えている。バックライトユニット１４は、後保持体１３に後側から内嵌させてある。
【００２６】
このようなパネルモジュール１には、該パネルモジュール１の周縁部を前側から取囲む樹脂製のフロントキャビネット２が設けてある。図３は、表示装置のフロントキャビネット２を後側から見た模式的斜視図である。フロントキャビネット２は、長方形状の窓を有する矩形枠部２１と、該矩形枠部２１の外縁から略直交して後方に延びる周壁２２とを備えている。フロントキャビネット２の矩形枠部２１の後面には、後方に突設された突条であるリブが一体的に成形してある。
【００２７】
図４は、図３のIV−IV線による断面図であり、フロントキャビネット２のリブ近傍の拡大断面図である。図５は、フロントキャビネット２のリブ近傍の斜視図である。図６は、フロントキャビネット２の後面図である。フロントキャビネット２の矩形枠部２１の後面には、内周縁に沿うように、内周縁の長辺に平行をなす長辺リブ２３，２３と、短辺に平行をなす短辺リブ２４，２４が夫々設けてある。長辺リブ２３，２３及び短辺リブ２４，２４の長手方向の両端及び中央には、図示の如く、長辺リブ２３，２３及び短辺リブ２４，２４よりも後方にその端部が位置するように当接突起２５，２５…が一体的に設けてある。
【００２８】
この当接突起２５，２５…は、フロントキャビネット２をパネルモジュール１に取付けたときに、前保持体１２の矩形枠部１２ａに圧接され、前保持体１２とマイナス嵌合するように形成してある。この結果、当接突起２５，２５…がパネルモジュール１に確実に当接することになる。なお、当接突起２５，２５…の突設高さは、表示装置の薄型化を図りつつフロントキャビネット２の当接突起２５，２５…以外の部分とパネルモジュール１とが直接接触しないように適切に設定してある。長辺リブ２３，２３及び短辺リブ２４，２４と当接突起２５，２５…との段差は、フロントキャビネット２の剛性を高くすべく、小さくしてあり、例えば、０．３ｍｍである。また、当接突起２５，２５…のパネルモジュール１との当接面積は、伝達された微振動によりガタつかないようにパネルモジュール１を確実に保持できると共に、フロントキャビネット２からの微振動の伝達を抑制することができるように、適切に設定してある。
【００２９】
このフロントキャビネット２の矩形枠部２１の後面には、図６に示すように、パネルモジュール１固定用の円筒状の複数（図において４つ）のボス部２６，２６…が立設してある。一方、パネルモジュール１には、ボス部２６，２６…に整合する位置に貫通孔（図示せず）が設けてあり、該貫通孔に挿通させた雄螺子をパネルモジュール１固定用のボス部２６，２６…に螺合させることにより、フロントキャビネット２とパネルモジュール１とが一体化してある。
【００３０】
また、フロントキャビネット２の矩形枠部２１の後面には、バックキャビネット固定用の円筒状の複数（図において２つ）のボス部２７，２７及びバックキャビネット位置決め用の複数のリブ２７ａ，２７ａ…が立設してある。
【００３１】
また、フロントキャビネット２の矩形枠部２１の後面の下側には、スピーカ挿入用の円筒状の複数（図において６つ）のボス部２８，２８…が夫々立設してある。これらのボス部２８，２８…に雄螺子を螺合させることにより、スピーカ（図示せず）がフロントキャビネット２に固定してある。
【００３２】
更に、フロントキャビネット２の矩形枠部２１の後面には、パネルモジュール１の後側を架橋するセンタアングル固定用の円筒状の複数の（図において４つ）のボス部２９，２９…が夫々立設してある。これらのボス部２９，２９…に雄螺子を螺合させることにより、センタアングル（図示せず）がフロントキャビネット２に固定してある。
【００３３】
一方、パネルモジュール１には、該パネルモジュール１の後側を覆うバックキャビネット３が設けてある。バックキャビネット３は、皿形覆部３１と、該皿形覆部３１の周縁に連設されたフランジ部３２とを備えている。このバックキャビネット３は、フロントキャビネット２のバックキャビネット３位置決め用のリブ２７ａ，２７ａ…に係合させつつ、皿形覆部３１にてパネルモジュール１を後面から覆うようにフロントキャビネット２に嵌合させた後、雄螺子を貫通孔（図示せず）に挿通させ、バックキャビネット３固定用のボス部２７，２７に螺合させることによりフロントキャビネット２に固定され、フロントキャビネット２と共にパネルモジュール１を収容する筐体を構成している。
【００３４】
このようにフロントキャビネット２及びバックキャビネット３により保持されるパネルモジュール１は、スタンド４により起立状態にて支持してある。
【００３５】
以上のように構成された本発明に係る表示装置においては、表示面１１ａの周縁に沿って後方に突設された突条である長辺リブ２３，２３及び短辺リブ２４，２４と、該長辺リブ２３，２３及び短辺リブ２４，２４よりも後方にその端部が位置するように突設された当接突起２５，２５…とをフロントキャビネット２に設けている。当接突起２５，２５…をパネルモジュール１の前保持体１２に当接させてパネルモジュール１を保持しているから、パネルモジュール１に微振動が伝達された場合に、該パネルモジュール１の微振動を抑制することができる。フロントキャビネット２の当接突起２５，２５…以外の部分とパネルモジュール１とが直接接触しないようにしてあるから、フロントキャビネット２とパネルモジュール１とが接する面積が小さくなり、フロントキャビネット２に取付けたスピーカにより微振動が生じた場合に、パネルモジュール１への微振動の伝達を抑制することができる。この結果、部品点数を増加することなく、音鳴りを防ぐことができる。
【００３６】
矩形状を有する表示面１１ａの隅部及び該隅部間の中間に対向する位置に当接突起２５，２５…を設けて、該当接突起２５，２５…を前保持体１２の表示面の４隅及び隅部間の中間に対応する位置に当接させているから、パネルモジュール１をより確実に均一に保持することができ、パネルモジュール１の微振動を抑制して、更に音鳴りを防ぐことができる。また、パネルモジュール１の前保持体１２に当接突起２５，２５…を圧接させて、該前保持体１２とマイナス嵌合するようにしてあるから、当接突起２５，２５…をパネルモジュール１に確実に当接させることができ、パネルモジュール１の微振動を抑制して、更に音鳴りを防ぐことができる。
【００３７】
また、表示面１１ａの周縁に沿って略全周に亘って突条である長辺リブ２３，２３及び短辺リブ２４，２４をフロントキャビネット２に設けて、フロントキャビネット２を補強しているから、フロントキャビネット２の断面二次モーメントを大きくすることができ、剛性を高くすることができる。更に、当接突起２５，２５…を長辺リブ２３，２３又は短辺リブ２４，２４よりも後方に端部が位置するように突設させて長辺リブ２３，２３又は短辺リブ２４，２４と一体的に設けてあるから、当接突起２５，２５…の剛性を高くすることができると共に、フロントキャビネット２の剛性を更に高くすることができる。この結果、フロントキャビネット２は、外部からの影響による変形が生じにくくなり、大型の成形品である場合にも、成形時に反りが生じにくい。
【００３８】
そして、このようにフロントキャビネット２の剛性を高くすることにより、フロントキャビネット２とパネルモジュール１又はバックキャビネット３とを締結する雄螺子等の締結部品の締結力を大にすることができ、締結部品の数を削減することができる。
【００３９】
なお、以上の実施の形態においては、当接突起２５，２５…を長辺リブ２３，２３又は短辺リブ２４，２４と一体的に設けているが、当接突起と長辺リブ及び短辺リブとを分離して設けてもよい。
【００４０】
また、以上の実施の形態においては、長辺リブ２３，２３及び短辺リブ２４，２４の４つのリブを設け、各リブ２３，２３，２４，２４の長手方向の両端及び中央に当接突起２５，２５…を設けているが、これらの位置及び数はこれに限定されない。例えば、長辺リブ２３，２３及び短辺リブ２４，２４の４つのリブに代えて、表示面１１ａの周縁に沿って周回するように環状のリブを一つのみ設けてもよい。当接突起は、パネルモジュール１をガタつかないように確実に保持できると共に、フロントキャビネット２からの微振動の伝達を抑制することができるように、パネルモジュール１との当接面積が適切になるように設けてあればよい。
【００４１】
また、フロントキャビネット２とパネルモジュール１とが直接接触しないように、フロントキャビネット２とパネルモジュール１との間に微振動を緩衝する緩衝部材を貼り付ける場合には、長辺リブ２３，２３及び短辺リブ２４，２４をガイドにすることにより、容易に貼り付け作業を行うことができる。
【００４２】
更に、以上の実施の形態において、表示装置として液晶テレビを例に説明したが、これに限定されず、液晶テレビ以外の液晶表示装置、プラズマ表示装置、ＥＬ表示装置等の表示装置にも適用可能であり、その他、特許請求の範囲に記載した事項の範囲内において種々変更した形態にて実施することが可能であることは言うまでもない。
【図面の簡単な説明】
【００４３】
【図１】本発明に係る表示装置の構成を示す模式的分解斜視図である。
【図２】本発明に係る表示装置の一部を拡大した断面図である。
【図３】表示装置のフロントキャビネットを後側から見た模式的斜視図である。
【図４】図３のIV−IV線による断面図である。
【図５】フロントキャビネットのリブ近傍の斜視図である。
【図６】フロントキャビネットの後面図である。
【図７】従来の表示装置の一部を拡大した断面図である
【符号の説明】
【００４４】
１  パネルモジュール
１１ａ  表示面
２  フロントキャビネット
２３  長辺リブ（突条）
２４  短辺リブ（突条）
２５  当接突起
【図１】
2010072366.tif 000003
【図２】
2010072366.tif 000004
【図３】
2010072366.tif 000005
【図４】
2010072366.tif 000006
【図５】
2010072366.tif 000007
【図６】
2010072366.tif 000008
【図７】
2010072366.tif 000009